(57)【要約】【課題】電子アルバムの素材となる写真データの選択処理を効率化すること。【解決手段】アルバム作成支援装置２は、利用者端末１ａから登録される各写真データに対して、それぞれの写真データの説明データを付与し、その付与した説明データを業者端末６ａに通知する写真情報通知部２６と、業者端末６ａから通知された写真データの要求を受け、その要求で指定された説明データが付与された各写真データを登録された各写真データから選択して、その選択した各写真データを業者端末６ａに提供する写真データ提供部２５とを有する。【選択図】図１
2016200909.tif 000002
【特許請求の範囲】
【請求項１】
利用者端末から登録される各写真データに対して、それぞれの写真データの説明データを付与し、その付与した前記説明データを業者端末に通知する写真情報通知部と、
前記業者端末から通知された写真データの要求を受け、その要求で指定された前記説明データが付与された各写真データを登録された各写真データから選択して、その選択した各写真データを前記業者端末に提供する写真データ提供部とを有することを特徴とする
アルバム作成支援装置。
【請求項２】
前記写真情報通知部は、同じ利用者が撮影した写真データの撮影日時および撮影場所からその利用者の行動履歴を特定し、その行動履歴を写真データの前記説明データとして、前記業者端末に通知し、
前記写真データ提供部は、前記業者端末から通知された写真データの要求で前記行動履歴が指定されるときには、その行動履歴に沿って行動した一人以上の利用者によって撮影された写真データの集合を前記業者端末に提供することを特徴とする
請求項１に記載のアルバム作成支援装置。
【請求項３】
前記アルバム作成支援装置の記憶手段には、前記行動履歴ごとにその行動履歴から類推される利用者の嗜好情報が対応付けられており、
前記写真情報通知部は、利用者ごとにその行動履歴から対応する前記嗜好情報を特定し、その嗜好情報を写真データの前記説明データとして、前記業者端末に通知し、
前記写真データ提供部は、前記業者端末から通知された写真データの要求で前記嗜好情報が指定されるときには、その嗜好情報に合致する一人以上の利用者によって撮影された写真データの集合を前記業者端末に提供することを特徴とする
請求項２に記載のアルバム作成支援装置。
【請求項４】
前記写真情報通知部は、写真データ内に撮影されている撮影物に対して画像認識することにより、その撮影物の識別情報を特定し、その識別情報を写真データの前記説明データとして、前記業者端末に通知し、
前記写真データ提供部は、前記業者端末から通知された写真データの要求で撮影物の前記識別情報が指定されるときには、その撮影物が撮影されており、一人以上の利用者によって撮影された写真データの集合を前記業者端末に提供することを特徴とする
請求項１に記載のアルバム作成支援装置。
【請求項５】
前記写真情報通知部は、登録された写真データに対するアクセス頻度を写真データの前記説明データとして、前記業者端末に通知し、
前記写真データ提供部は、前記業者端末から通知された写真データの要求で前記アクセス頻度が指定されるときには、そのアクセス頻度に適合し、一人以上の利用者によって撮影された写真データの集合を前記業者端末に提供することを特徴とする
請求項１に記載のアルバム作成支援装置。
【請求項６】
請求項１ないし請求項５のいずれか１項に記載のアルバム作成支援装置と、前記利用者端末とを含めて構成され、
前記利用者端末は、撮影された写真データが自身に記録されることを契機として、その記録された写真データを前記アルバム作成支援装置に送信して、前記アルバム作成支援装置に登録させることを特徴とする
アルバム作成支援システム。
【請求項７】
アルバム作成支援装置は、写真情報通知部と、写真データ提供部とを有しており、
前記写真情報通知部は、利用者端末から登録される各写真データに対して、それぞれの写真データの説明データを付与し、その付与した前記説明データを業者端末に通知し、
前記写真データ提供部は、前記業者端末から通知された写真データの要求を受け、その要求で指定された前記説明データが付与された各写真データを登録された各写真データから選択して、その選択した各写真データを前記業者端末に提供することを特徴とする
アルバム作成支援方法。
【発明の詳細な説明】
【技術分野】
【０００１】
本発明は、アルバム作成支援装置、アルバム作成支援システム、および、アルバム作成支援方法の技術に関する。
【背景技術】
【０００２】
デジタルカメラやスマートフォンの普及に伴い、端末で撮影した画像を編集して電子アルバムを作成する機会が増えている。利用者自身が電子アルバムを作成する場合、利用者は、登録した複数の画像データの中から選択した画像データを電子アルバムに１枚ずつ貼り付ける。
しかし、この方法では、利用者にとって操作の負担が大きく、電子アルバムを作成するための作業時間がかかってしまう。このため、電子アルバムの編集工程を一部自動化したシステムが提案されている。
【０００３】
特許文献１には、旅行する地域や、観る、食べるなどの旅行テーマからなる行程シナリオを事前に用意しておき、撮影時点の位置情報と時刻情報とをもとに、行程シナリオと関連づける電子アルバム作成支援装置が記載されている。これにより、旅行計画の過程で無理なく事前のレイアウト設定を可能とし、事後の分類、整理を容易化する。
【先行技術文献】
【特許文献】
【０００４】
【特許文献１】特開２００５−６３３０２号公報
【発明の概要】
【発明が解決しようとする課題】
【０００５】
電子アルバムを作成するときには、すでに撮影された多くの写真データから、アルバムの素材となる写真データの選択がとくに重要である。電子アルバムを閲覧する利用者にとって、閲覧したい撮影物を撮り逃していたり、撮影されていても手ぶれなどで綺麗な写真で撮れていなかったりすると、電子アルバムの満足度が低下してしまう。
電子アルバムの利用者や、電子アルバムを代行して作成する業者にとって、写真データごとにアルバムへの採用／不採用を目視で確認するのは、多大な手間を要するため、効率的に写真データを選択できるシステムが望まれている。
【０００６】
そこで、本発明は、電子アルバムの素材となる写真データの選択処理を効率化することを、主な課題とする。
【課題を解決するための手段】
【０００７】
前記課題を解決するために、本発明のアルバム作成支援装置は、
利用者端末から登録される各写真データに対して、それぞれの写真データの説明データを付与し、その付与した前記説明データを業者端末に通知する写真情報通知部と、
前記業者端末から通知された写真データの要求を受け、その要求で指定された前記説明データが付与された各写真データを登録された各写真データから選択して、その選択した各写真データを前記業者端末に提供する写真データ提供部とを有することを特徴とする。
【０００８】
これにより、アルバム作成支援装置が新たに提案するアルバムに利用される写真の選択において有益な説明データを自動抽出するので、写真データそのものを業者が目視するよりも効率的に、電子アルバムの素材となる写真データを選択させることができる。
【０００９】
本発明は、前記写真情報通知部が、同じ利用者が撮影した写真データの撮影日時および撮影場所からその利用者の行動履歴を特定し、その行動履歴を写真データの前記説明データとして、前記業者端末に通知し、
前記写真データ提供部が、前記業者端末から通知された写真データの要求で前記行動履歴が指定されるときには、その行動履歴に沿って行動した一人以上の利用者によって撮影された写真データの集合を前記業者端末に提供することを特徴とする。
【００１０】
これにより、同じイベントに参加するなど、同じ行動履歴に沿って行動した写真データの集合が選択されるので、利用者本人が撮影しなかったり、撮影していても手ぶれなどで綺麗な写真で撮れていなかったりする場合でも、他の利用者の写真で補完した満足度の高い電子アルバムを提供できる。
【００１１】
本発明は、前記アルバム作成支援装置の記憶手段には、前記行動履歴ごとにその行動履歴から類推される利用者の嗜好情報が対応付けられており、
前記写真情報通知部が、利用者ごとにその行動履歴から対応する前記嗜好情報を特定し、その嗜好情報を写真データの前記説明データとして、前記業者端末に通知し、
前記写真データ提供部が、前記業者端末から通知された写真データの要求で前記嗜好情報が指定されるときには、その嗜好情報に合致する一人以上の利用者によって撮影された写真データの集合を前記業者端末に提供することを特徴とする。
【００１２】
これにより、ある利用者が明示的に自身の嗜好情報を入力しなくても、自動抽出された嗜好情報を元にした写真データの集合が選択されるので、手軽に満足度の高い電子アルバムの提供を受けることができる。
【００１３】
本発明は、前記写真情報通知部が、写真データ内に撮影されている撮影物に対して画像認識することにより、その撮影物の識別情報を特定し、その識別情報を写真データの前記説明データとして、前記業者端末に通知し、
前記写真データ提供部が、前記業者端末から通知された写真データの要求で撮影物の前記識別情報が指定されるときには、その撮影物が撮影されており、一人以上の利用者によって撮影された写真データの集合を前記業者端末に提供することを特徴とする。
【００１４】
これにより、撮影技術や撮影機材が劣っている利用者であっても、同じ対象物を撮影した別の利用者の高品質な写真を用いた満足度の高い電子アルバムの提供を受けることができる。
【００１５】
本発明は、前記写真情報通知部が、登録された写真データに対するアクセス頻度を写真データの前記説明データとして、前記業者端末に通知し、
前記写真データ提供部が、前記業者端末から通知された写真データの要求で前記アクセス頻度が指定されるときには、そのアクセス頻度に適合し、一人以上の利用者によって撮影された写真データの集合を前記業者端末に提供することを特徴とする。
【００１６】
これにより、多く購入されて人気のある写真データを優先的に含めた、満足度の高い電子アルバムの提供を受けることができる。
【００１７】
本発明は、前記アルバム作成支援装置と、前記利用者端末とを含めて構成され、
前記利用者端末が、撮影された写真データが自身に記録されることを契機として、その記録された写真データを前記アルバム作成支援装置に送信して、前記アルバム作成支援装置に登録させることを特徴とする。
【００１８】
これにより、利用者は写真データを撮影するたびに個別に登録操作を行う必要がなくなり、手軽にアルバムの素材データを供給できる。
【発明の効果】
【００１９】
本発明によれば、電子アルバムの素材となる写真データの選択処理を効率化することができる。
【図面の簡単な説明】
【００２０】
【図１】本発明の一実施形態に関するアルバム作成支援システムの構成図である。
【図２】本発明の一実施形態に関する利用者属性データの構成図である。
【図３】本発明の一実施形態に関する第１の情報提供処理を示すシーケンス図である。
【図４】本発明の一実施形態に関する第２の情報提供処理を示すシーケンス図である。
【図５】本発明の一実施形態に関するアルバム作成支援処理を示すシーケンス図である。
【発明を実施するための形態】
【００２１】
以下、本発明の一実施形態について、図面を参照して詳細に説明する。
【００２２】
図１は、アルバム作成支援システムの構成図である。
各利用者端末１ａ，１ｂは、写真の撮影者であり、その撮影した写真を素材としたアルバムの購入予定者である利用者によって使用される端末である。
各業者端末６ａ，６ｂは、各利用者端末１ａ，１ｂの利用者に対して、アルバムを提案し、販売する業者によって使用される端末である。
アルバム作成支援装置２は、利用者端末１ａ，１ｂと業者端末６ａ，６ｂとの間でのアルバムの販売を支援する装置であり、各利用者端末１ａ，１ｂからは、接続するネットワーク（クラウド）の先に位置するように認識される。
【００２３】
なお、図１に示すアルバム作成支援システムの各装置は、ＣＰＵ（Central Processing Unit）とメモリとハードディスク（記憶手段）とネットワークインタフェースを有するコンピュータとして構成され、このコンピュータは、ＣＰＵが、メモリ上に読み込んだプログラムを実行することにより、各処理部を動作させる。
また、図１では、各構成要素間の主要なデータの流れを矢印で表記している。つまり、この矢印はあくまで各構成要素間のデータの流れの一部を例示しただけであり、矢印が存在しない（または矢印の先が向いていない）ものであっても、データの流れは存在することもある。
【００２４】
アルバム作成支援装置２は、業者端末６ａ，６ｂに対して写真に関する情報提供手段（各処理部）として、写真登録受付部２１と、写真タグ付与部２２と、写真関連付け部２３と、利用者属性分析部２４と、写真データ提供部２５と、写真情報通知部２６とを有する。
アルバム作成支援装置２は、アルバム販売の支援手段（各処理部）として、アルバムイメージ提示部３１と、アルバムイメージ修正部３２と、アルバム注文部３３と、料金決済部３４とを有する。
アルバム作成支援装置２の記憶手段には、前記各処理部が用いるデータとして、登録写真データ２１ａと、写真タグデータ２２ａと、関連写真データ２３ａと、利用者属性データ２４ａとが格納されている。
【００２５】
以下では、アルバム作成支援装置２の各構成要素の概要を説明する。各構成要素の詳細については、図２以降の説明で明らかにする。
写真登録受付部２１は、利用者端末１ａ，１ｂからの写真データを登録写真データ２１ａとしてアルバム作成支援装置２の記憶手段に登録する。
写真タグ付与部２２は、登録写真データ２１ａの各写真に対して写真タグデータ２２ａを付与する。
写真関連付け部２３は、登録写真データ２１ａに関連する他の関連写真データ２３ａを関連づける。なお、関連写真データ２３ａとは、例えば、登録写真データ２１ａの撮影者とは別の撮影者による写真であり、過去に写真登録受付部２１が受け付けたものである。
利用者属性分析部２４は、利用者を分析した利用者属性データ２４ａを作成する。
写真データ提供部２５は、登録写真データ２１ａや関連写真データ２３ａから選択した写真データを業者端末６ａ，６ｂに提供する。
写真情報通知部２６は、写真データの写真タグデータ２２ａと、その利用者属性データ２４ａとを、写真情報（写真データの説明データ）として各業者端末６ａ，６ｂに通知する。
【００２６】
アルバムイメージ提示部３１は、写真データ提供部２５により提供された写真データを素材とする各アルバム案を利用者端末１ａ，１ｂに提示する。
アルバムイメージ修正部３２は、提示された各アルバム案に対して修正内容を受け付ける。
アルバム注文部３３は、各アルバム案に対して、各利用者端末１ａ，１ｂから注文を受け付ける。
料金決済部３４は、注文を受け付けたアルバム案について、料金決済などで注文を確定する。
【００２７】
図２は、利用者属性データ２４ａの構成図である。
利用者属性データ２４ａは、利用者端末１ａ，１ｂの利用者のＩＤごとに、その利用者による入力情報（年齢、性別、趣味などの属性情報）と、その利用者による履歴情報（Ｗｅｂアクセスの履歴や、写真撮影に関する行動履歴、アルバムの購入履歴など）と、その利用者の嗜好情報とを対応付けるデータである。
利用者属性分析部２４は、利用者属性データ２４ａの入力情報および履歴情報のうちの少なくとも１つの情報から、予め定めた嗜好特定用ルールに基づき、その利用者の嗜好情報を特定する。例えば、利用者属性分析部２４は、「購入履歴にタグ「祭り」が多いなら、嗜好情報＝お祭り好きとする」などの購入履歴を単独または他の情報と組み合わせた嗜好特定用ルールを用いて、利用者の嗜好情報を特定する。
【００２８】
別の例では、Ｘ神社の位置情報と、Ｘ神社の縁日が行われる時刻情報とがあらかじめアルバム作成支援装置２内の記憶手段に登録されているとする。利用者属性分析部２４は、登録写真データ２１ａから所定の利用者Ａによって撮影された写真データの撮影日時と撮影位置とを写真データのタグから読み取り、その読み取ったデータとＸ神社の縁日データとを照合することにより、「Ｘ神社の縁日を撮影」という行動履歴を特定する。
【００２９】
そして、利用者属性分析部２４は、「Ｘ神社の縁日を撮影したとき、嗜好情報＝お祭り好きとする」という嗜好特定用ルールがあらかじめ設定されているとき、その嗜好特定用ルールに合致する利用者Ａの嗜好情報に「お祭り好き」を追加する。
この嗜好情報「お祭り好き」は、他の利用者にも付されることもある。そして、写真関連付け部２３は、同じ嗜好情報「お祭り好き」が付された複数の利用者が撮影した各写真データを互いに関連づけることで、利用者Ａに提案するアルバムに、他の「お祭り好き」の利用者が撮影した写真データを含めさせることができる。
【００３０】
なお、前記の例では、行動履歴だけから嗜好情報を特定したが、「男性で４０代の利用者が、Ｘ神社の縁日を撮影したとき、嗜好情報＝お祭り好きとする」のような嗜好特定用ルールを用いて、行動履歴に入力情報やＷｅｂ履歴も組み合わせて嗜好情報を特定してもよい。
一方、利用者の入力情報だけから嗜好情報を特定してしまうと、利用者の嗜好が登録時から変化したときに、新たな嗜好を抽出できない。
また、Ｗｅｂ履歴（閲覧ページ、検索ワード）だけから嗜好情報を特定してしまうと、写真の撮影物の嗜好を直接的に反映するものではないノイズデータも混入してしまい、不要なアルバム提案をしてしまうこともある。
【００３１】
図３は、業者端末６ａ，６ｂに対する第１の情報提供処理を示すシーケンス図である。この図３の各処理は、利用者登録後（図２の入力情報の入力後）に実行される。
【００３２】
Ｓ１０ａ，Ｓ１０ｂとして、利用者端末１ａ，１ｂは、それぞれ自身が撮影した写真データを、アルバム作成支援装置２に登録する。なお、各写真データには、撮影日時や撮影位置などの写真の拡張情報が、Ｅｘｉｆ（Exchangeable image file format）などの形式で撮影時に対応付けられる。
ここで、利用者端末１ａ，１ｂは、所定の記憶領域（カメラロールなど）内の写真データが更新（新規追加、修正、削除）されたときを契機として、利用者からの明示的な指示が無くても、クラウド上のデータベース（アルバム作成支援装置２内の記憶手段）に自動的にアップロードすることとしてもよい。
Ｓ１１として、写真登録受付部２１は、Ｓ１０ａ，Ｓ１０ｂでそれぞれ送信された写真データを、登録写真データ２１ａとしてアルバム作成支援装置２に登録する。
【００３３】
Ｓ１２として、写真タグ付与部２２は、Ｓ１１の登録写真データ２１ａの各写真に対して、その写真についての写真タグデータ２２ａを付与する。付与対象の写真タグの一例を、以下に列挙する。
タグ「撮影時データ」は、撮影日時や撮影場所などで構成され、前記したように、利用者端末１ａ，１ｂによって対応付けられたものである。
タグ「属性情報」は、利用者が撮影前に予め登録した年齢、性別、趣味などの利用者個人の入力データである。
タグ「アクセス頻度」は、利用者による写真ごとのアクセス頻度であり、撮影者本人のアクセス頻度としてもよいし、撮影者本人だけでなく他の閲覧者も含めたアクセス頻度としてもよい。
タグ「識別情報」は、写真データ内に撮影されている撮影対象（映っている人や映っている景色など）を識別する情報である。なお、写真に撮影される物体の認識処理は、例えば、特開２００４−１４５４１６号公報の「物体抽出・部類識別手段２０２」として記載されている。
【００３４】
Ｓ１３として、写真関連付け部２３は、Ｓ１２の写真タグデータ２２ａを参照し、登録写真データ２１ａに関連する他の関連写真データ２３ａを、登録写真データ２１ａに関連づける。
登録写真データ２１ａと関連写真データ２３ａとの違いは、例えば、撮影者が異なる違い、同じ撮影者でも撮影日時が異なる違い、同じ撮影者で同じ撮影日時、同じ撮影場所でも撮影機材が異なる違いである。この関連づけにより、例えば、以下のように同じテーマで様々な写真データがグルーピングされる。
・タグ「識別情報」が互いに同じ「Ｘ神社」の写真データとして、撮影者Ａが撮影した「Ｘ神社」が映っている登録写真データ２１ａと、撮影者Ｂが撮影した「Ｘ神社」が映っている関連写真データ２３ａとが関連づけられる。
・タグ「撮影時データ」が互いに同じ「Ｙ植物」の写真データとして、撮影者Ａが撮影した今年の「Ｙ植物」が映っている登録写真データ２１ａと、撮影者Ａが撮影した去年の「Ｙ植物」が映っている関連写真データ２３ａとが関連づけられる。つまり、「Ｙ植物」についてのライフログの電子アルバムの素材データがグルーピングされる。
・タグ「識別情報」が互いに同じ「Ｚ歌手」であり、かつ、タグ「アクセス頻度」が所定値以上である（人気の）写真データとして、撮影者Ａが撮影した「Ｚ歌手」が映っている登録写真データ２１ａと、撮影者Ｃが撮影した「Ｚ歌手」が映っている関連写真データ２３ａとが関連づけられる。
【００３５】
Ｓ１４として、利用者属性分析部２４は、図２で説明したように、Ｓ１２で付与した写真タグデータ２２ａ（行動履歴を特定するための撮影日時や撮影場所など）を参照し、登録写真データ２１ａの各写真を撮影した利用者の嗜好を分析した利用者属性データ２４ａを作成する。
なお、写真関連付け部２３は、同じタグの写真どうしを関連づける処理に加え、Ｓ１４で同じ嗜好と分析された利用者の写真どうしを関連づける処理を行ってもよい。
【００３６】
Ｓ１５として、写真情報通知部２６は、Ｓ１０ａ，Ｓ１０ｂでそれぞれ送信された写真データについて、その写真タグデータ２２ａ（Ｓ１２）と、その利用者属性データ２４ａ（Ｓ１３）とを、写真情報として各業者端末６ａ，６ｂに通知する。
各アルバム作成事業者（業者端末６ａ，６ｂ）は、Ｓ１５の通知により、利用者の写真が新たにアップロードされ、以下に例示するようにその内容や傾向を知ることができる。
・いつ、どこで、どんな写真を撮ったのか（写真タグデータ２２ａの撮影時データタグおよび識別情報タグ）
・他の利用者も一緒の場所にいたのか（利用者属性データ２４ａの行動履歴）
・どんな趣味があるか（利用者属性データ２４ａの嗜好情報）
・過去にどんなアルバムを買っているか（利用者属性データ２４ａの購入履歴）
これらの情報は、新たに提案するアルバムに利用される写真の選択において非常に有益な情報である。
【００３７】
Ｓ１５ｘとして、業者端末６ａ，６ｂは、Ｓ１５で通知された各写真情報から、アルバムの素材となる登録写真データ２１ａをアルバム作成支援装置２に要求する。この写真要求は、写真タグデータ２２ａのタグ（例えば、「Ａ神社」が映っている写真集合）や、利用者属性データ２４ａの履歴情報（例えば、「Ｘ神社」の縁日を撮影した写真集合）のように、Ｓ１５で提供された写真情報を元にした大まかな要求であってもよい。
【００３８】
Ｓ１６として、写真データ提供部２５は、業者端末６ａ，６ｂからそれぞれ要求された写真データを登録写真データ２１ａから選択し、その選択した写真データを業者端末６ａ，６ｂに提供する。ここで、写真データ提供部２５は、明示的にＳ１５ｘで要求された登録写真データ２１ａだけでなく、写真関連付け部２３が関連づけた関連写真データ２３ａも提供対象に含めてもよい。
さらに、写真データ提供部２５は、提供する写真データに関する写真タグデータ２２ａや、利用者属性データ２４ａ（利用者属性、よく見ている写真は何か？あまり見ていない写真は何か？など）も併せて提供してもよい。
【００３９】
各アルバム作成事業者（業者端末６ａ，６ｂ）は、Ｓ１６の写真提供により、新たに提案するアルバムの素材データを効率よく絞り込んで取得することができる。例えば、提供された素材データには、提案相手の利用者本人による撮影データだけでなく、タグや履歴情報などで関連づけた他の利用者による撮影データも含まれていることもある。これにより、利用者本人の撮影機材や撮影技術が貧弱であっても、同じ撮影対象を撮影した別の利用者による綺麗な写真や取り逃がした写真も、今回提案するアルバムに含めることができる。
【００４０】
各アルバム作成事業者（業者端末６ａ，６ｂ）は、選択した写真データを素材としてアルバムにするための編集作業を行う。この編集作業は、例えば、写真の修飾工程、写真の色合い修正工程、写真のレイアウト工程などである。これらの編集作業により、アルバムの構成イメージが作成される。
【００４１】
図４は、業者端末６ａ，６ｂに対する第２の情報提供処理を示すシーケンス図である。図３と比較すると、Ｓ１５、Ｓ１５ｘの各処理が、Ｓ１５ｙ、Ｓ１５ｚの各処理に置き換わっている。
まず、図４では、写真登録（Ｓ１０ａ，Ｓ１０ｂ）を写真情報通知（Ｓ１５）の契機としないので、Ｓ１５の処理は省略される。
Ｓ１５ｙとして、業者端末６ａ，６ｂは、アルバムの素材となる登録写真データ２１ａの検索要求をアルバム作成支援装置２に送信する。この検索要求は、Ｓ１５ｘで説明したような要求であってもよいし、「利用者Ａが撮影した（取り貯めた）全写真データ」のような要求であってもよい。
Ｓ１５ｚとして、写真データ提供部２５は、Ｓ１５ｙの検索要求に合致する写真データを、登録写真データ２１ａから検索する。
Ｓ１６として、写真データ提供部２５は、業者端末６ａ，６ｂからそれぞれＳ１５ｙで要求された写真データを登録写真データ２１ａから選択し、その選択した写真データを業者端末６ａ，６ｂに提供する。
【００４２】
図５は、利用者端末１ａ，１ｂと業者端末６ａ，６ｂとの間でのアルバム作成支援処理を示すシーケンス図である。この図５の処理は、図３の処理または図４の処理の後に実行される。
【００４３】
Ｓ２１として、アルバムイメージ提示部３１は、Ｓ１６で提供された写真データを素材とする各アルバム案Ａ，Ｂを各業者端末６ａ，６ｂから受信し、その各案Ａ，Ｂを各利用者端末１ａ，１ｂに提示する。つまり、写真屋などの事業者が、クラウド上の写真を利用して、アルバムの提案活動および販売活動を行う。
これにより、利用者が、アルバムの素材となる写真の選択や、アルバム作成の申込みなどの能動的なアクションを起こさなくても、アルバム購入の機会を得る。なお、アルバム案には、アルバムの構成イメージと、その価格などが含まれている。よって、各利用者端末１ａ，１ｂの利用者は、クラウドを介することで、手間をかけずに複数事業者のアルバム案を比較検討することができる。
以下では、利用者端末１ａは提案されたアルバムに興味を示さず、利用者端末１ｂは提案されたアルバムに興味を示したとする。
【００４４】
Ｓ２２として、アルバムイメージ修正部３２は、Ｓ２１で提示された各アルバム案に対して修正したいときには、各利用者端末１ａ，１ｂを介して受け付けた修正内容の指示を各業者端末６ａ，６ｂに通知する。なお、アルバム作成支援装置２は、Ｓ２１でアルバムを提案しなかった別の業者（図示省略）に対しても、新たに修正内容の指示を送信してもよい。修正内容の指示は、例えば以下のような指示である。
・デザインをこうしてほしい
・この写真を使ってほしい
・他の事業者からの提示も受けたい
・価格が下がらないか
各業者端末６ａ，６ｂの業者は、修正内容の指示を受け、アルバムの修正を検討し、その結果（回答Ａ，Ｂ）をアルバム作成支援装置２を介して利用者端末１ｂに送信する。
【００４５】
Ｓ２３として、アルバム注文部３３は、Ｓ２１で提示された各アルバム案、または、Ｓ２２で修正された各アルバム案に対して、利用者端末１ｂから注文を受け付ける。ここでは、利用者端末１ｂは、業者端末６ｂの回答Ｂを採用（注文）したとする。アルバム注文部３３は、業者端末６ｂに注文内容を転送するとともに、業者端末６ｂには回答Ａが注文されなかったことを通知する。
【００４６】
Ｓ２４として、料金決済部３４は、Ｓ２３で注文を受け付けたアルバム案について、料金決済などの注文を確定するための各処理を行う。
まず、業者端末６ｂは、注文されたアルバムを利用者端末１ｂに直接配信する。次に、利用者端末１ｂは、配信されたアルバムの代金支払処理を料金決済部３４に依頼する。
料金決済部３４は、依頼された決済データに基づく代金支払処理を実行し、その結果を業者端末６ｂに通知する。この代金支払処理は、例えば、依頼された決済データにクレジットカード番号が含まれているときには、そのクレジット口座から代金分だけ差し引いて、その代金分を業者端末６ｂの業者の口座に入金する処理である。
【００４７】
以上説明した本実施形態のアルバム作成支援装置２は、アルバム作成支援システムの登録ユーザがデジタルカメラなどで撮影した画像データを、電子アルバム作成事業者が電子アルバムに編集し、登録ユーザに販売する作業を支援する。
利用者端末１ａ，１ｂの利用者は、システムの利用登録時に、年齢、性別、趣味などの属性情報を予め登録しておく。そして、利用者端末１ａ，１ｂにより撮影された写真は、自動的にクラウドのデータベース（登録写真データ２１ａ）にアップロードされる。
アルバム作成支援装置２は、アップロードされた写真をもとに、写真タグデータ２２ａ、関連写真データ２３ａ、利用者属性データ２４ａなどのアルバム作成に有用な情報を抽出して、その抽出した各情報を業者端末６ａ，６ｂに通知することで、各業者に対してアルバム作成を支援する。
【００４８】
これにより、能動的にアルバム作成の要求をするなどのアルバム作成の準備作業のための過大な負担を利用者に課することなく、利用者の嗜好を充分に反映でき、様々な目的に応じた電子アルバムの提案を業者から受けることができる。
この提案されたアルバムは、旅行、パーティー、子供の成長記録などの様々な目的に応じて利用者ごとに個別にカスタマイズされたものであるので、撮影内容が固定化されている風景写真集や有名人の写真集などの一般向けの（カスタマイズされていない）アルバムよりも、購入されやすい。
【００４９】
さらに、アルバム作成支援装置２には、複数の利用者それぞれが撮影した写真データを一元的に登録写真データ２１ａや関連写真データ２３ａとして登録を受け付ける。よって、本人の撮影写真だけでは写真の撮り逃しや綺麗な写真で撮影できなくなるようなときでも、他人の撮影写真を補間したアルバムの提案を受けることができる。
そして、アルバム作成支援装置２からアルバム作成のための情報を受ける業者端末６ａ，６ｂの各業者（個人経営の写真店など）は、写真屋に写真データを持ち込んだり、オンラインで申し込んだりといった利用者に負担を強いることを省略できるので、手軽にアルバム作成を提案することができ、売り上げ向上が期待できる。
【符号の説明】
【００５０】
１ａ，１ｂ  利用者端末
２      アルバム作成支援装置
６ａ，６ｂ  業者端末
２１    写真登録受付部
２１ａ  登録写真データ
２２    写真タグ付与部
２２ａ  写真タグデータ
２３    写真関連付け部
２３ａ  関連写真データ
２４    利用者属性分析部
２４ａ  利用者属性データ
２５    写真データ提供部
２６    写真情報通知部
３１    アルバムイメージ提示部
３２    アルバムイメージ修正部
３３    アルバム注文部
３４    料金決済部
【図１】
2016200909.tif 000003
【図２】
2016200909.tif 000004
【図３】
2016200909.tif 000005
【図４】
2016200909.tif 000006
【図５】
2016200909.tif 000007